(57)【要約】【課題】従来の動画コメントシステムでは、自分が付けたコメントに対する他の人の反応を見ることができず、動画へのコメントは書きっぱなしとなる。また、コメント数が多い動画では、面白いコメントが付けられてもすぐに見えなくなってしまうという問題がある。【解決手段】動画コメントシステムにおいて、コメントに対して返信・評価を行うことができるようにする。また、コメントに対する返信の数や評価に基づいて、表示するコメントを決定する。本発明により、ユーザは、自分が付けたコメントに対する他の人の反応を見ることができるようになる。また、返信数が多いコメントや評価の高いコメントが優先的に表示され続けるようになる。【選択図】図４
2012114525.tif 000002
【特許請求の範囲】
【請求項１】
ユーザによって操作される端末装置と、
動画データを配信する動画配信装置と、
前記動画データに対するコメント情報の記憶手段を備えた動画コメント管理装置と、
前記コメント情報に対する返信情報の記憶手段を備えた動画コメント返信管理装置
によって構成される情報システムにおける
端末装置上で動作するプログラムであって、
動画配信装置から動画データを取得する手順と、
ユーザの端末上で動画を再生する手順と、
動画コメント管理装置からコメント情報を取得する手順と、
動画の再生に連動して、再生時刻ごとのコメント情報を表示する手順と、
ユーザの操作によって、返信の対象となるコメント情報を選択する手順と、
ユーザの操作によって、コメント情報への返信文を動画コメント返信管理装置に送信する手順
を実行させるためのプログラム
【請求項２】
請求項１記載のプログラムが動作する端末装置から、動画コメントに対する返信情報を受信する手段と、
動画コメントに対する返信情報を記憶する手段と、
指定されたユーザに対し、そのユーザが作成した動画コメントへの返信情報の一覧を取得する手段
を備えることを特徴とする動画コメント返信管理装置
【請求項３】
請求項２記載の動画コメント返信管理装置であって、
ユーザが作成した動画コメントへの返信情報を受信したときに、そのユーザの端末装置に対し返信の受信があったことを通知する手段
を備えることを特徴とする動画コメント返信管理装置
【請求項４】
ユーザによって操作される端末装置上で動作するプログラムであって、
請求項３記載の動画コメント返信管理装置からの返信受信の通知を受信する手順と、
前記返信受信の通知を受信したときに、ユーザに対しそれを知らせる手順
を実現させるためのプログラム
【請求項５】
ユーザによって操作される端末装置と、
動画データを配信する動画配信装置と、
前記動画データに対するコメント情報の記憶手段を備えた動画コメント管理装置と、
前記コメント情報に対する評価情報の記憶手段を備えた動画コメント評価管理装置
によって構成される情報システムにおける
端末装置上で動作するプログラムであって、
動画配信装置から動画データを取得する手順と、
ユーザの端末上で動画を再生する手順と、
動画コメント管理装置からコメント情報を取得する手順と、
動画の再生に連動して、再生時刻ごとのコメント情報を表示する手順と、
ユーザの操作によって、評価の対象となるコメント情報を選択する手順と、
ユーザの操作によって、コメント情報への評価を動画コメント評価管理装置に送信する手順
を実行させるためのプログラム
【請求項６】
ユーザによって操作される端末装置と、
動画データを配信する動画配信装置と、
前記動画データに対するコメント情報の記憶手段を備えた動画コメント管理装置と、
前記コメント情報に対する評価情報の記憶手段を備えた動画コメント評価管理装置
によって構成される情報システムにおける
端末装置上で動作するプログラムであって、
動画配信装置から動画データを取得する手順と、
ユーザの端末上で動画を再生する手順と、
動画コメント管理装置からコメント情報を取得する手順と、
動画の再生に連動して、再生時刻ごとのコメント情報を表示する手順と、
ユーザの操作によって、評価の対象となるコメント情報を選択し、それと同時に、コメント情報への評価の更新を動画コメント評価管理装置に送信する手順
を実行させるためのプログラム
【請求項７】
請求項５もしくは請求項６に記載のプログラムが動作する端末装置から、動画コメントに対する評価情報を受信する手段と、
動画コメントに対する評価情報を記憶する手段と、
指定されたユーザに対し、そのユーザが作成した動画コメントへの評価情報を取得する手段
を備えることを特徴とする動画コメント評価管理装置
【請求項８】
ユーザによって操作される端末装置と、
動画データを配信する動画配信装置と、
前記動画データに対するコメント情報の記憶手段を備えた動画コメント管理装置と、
前記コメント情報に対する返信情報の記憶手段を備えた動画コメント返信管理装置
によって構成される情報システムにおける
動画コメント管理装置であって、
動画コメント返信管理装置からコメントに対する返信の数を取得する手段と、
返信の数に基づいてユーザの端末装置に配信するコメント情報を決定する手段
を備えることを特徴とする動画コメント管理装置
【請求項９】
ユーザによって操作される端末装置と、
動画データを配信する動画配信装置と、
前記動画データに対するコメント情報の記憶手段を備えた動画コメント管理装置と、
前記コメント情報に対する返信情報の記憶手段を備えた動画コメント返信管理装置
によって構成される情報システムにおける
端末装置上で動作するプログラムであって、
動画配信装置から動画データを取得する手順と、
ユーザの端末上で動画を再生する手順と、
動画コメント管理装置からコメント情報を取得する手順と、
動画の再生に連動して、再生時刻ごとのコメント情報を表示する手順と、
動画コメント返信管理装置からコメントの返信情報の数を取得する手順と、
返信情報の数に基づいて表示するコメントを決定する手順
を実行させるためのプログラム
【請求項１０】
ユーザによって操作される端末装置と、
動画データを配信する動画配信装置と、
前記動画データに対するコメント情報の記憶手段を備えた動画コメント管理装置と、
前記コメント情報に対する評価情報の記憶手段を備えた動画コメント評価管理装置
によって構成される情報システムにおける
動画コメント管理装置であって、
動画コメント評価管理装置からコメントに対する評価を取得する手段と、
評価に基づいてユーザ端末装置に配信するコメント情報を決定する手段
を備えることを特徴とする動画コメント管理装置
【請求項１１】
ユーザによって操作される端末装置と、
動画データを配信する動画配信装置と、
前記動画データに対するコメント情報の記憶手段を備えた動画コメント管理装置と、
前記コメント情報に対する評価情報の記憶手段を備えた動画コメント評価管理装置
によって構成される情報システムにおける
端末装置上で動作するプログラムであって、
動画配信装置から動画データを取得する手順と、
ユーザの端末上で動画を再生する手順と、
動画コメント管理装置からコメント情報を取得する手順と、
動画の再生に連動して、再生時刻ごとのコメント情報を表示する手順と、
動画コメント評価管理装置からコメントの評価を取得する手順と、
評価に基づいて表示するコメントを決定する手順
を実行させるためのプログラム
【発明の詳細な説明】
【技術分野】
【０００１】
本発明は、動画コメントシステムにおける、動画コメント返信管理装置、動画コメント評価管理装置、及び端末プログラムに関する。
【背景技術】
【０００２】
近年、ネットワーク回線帯域の増大化とＷｅｂブラウザや携帯端末の進化に伴い、インターネット上における動画コンテンツが急増している。
【０００３】
特に、ＹｏｕＴｕｂｅ（http://www.youtube.com/）などの、ユーザが動画をアップロードして他のユーザと共有することができる動画共有サイトが世界中から多くのアクセスを集めている。
【０００４】
また、特に日本においては、アップロードされた動画に対しユーザが自由にコメントを付けることができるニコニコ動画（http://www.nicovideo.jp/）などのサイトが人気を得ている。これらのサイトでは、ユーザが付けたコメントが、動画コンテンツの再生に併せて表示される仕組みとなっている。この仕組みが、動画に新たな作品性と面白さを生み出し、人気を得る要因となっている。
【０００５】
動画コンテンツに関連する技術として、以下のような技術が開示されている。特許文献１には、端末からの配信要求に応じて動画配信装置から動画データをストリーミング配信すると共に、動画配信装置へのアクセスに対する応答時間に応じて動画配信装置に対する配信要求を制御する動画配信装置が開示されている。特許文献２には、テレビ番組等の動画に対し、ユーザーが発言したコメントをその動画と併せて表示するシステムが開示されている。特許文献３には、動画配信装置から受信した動画の画像情報に、コメント管理装置から受信したコメントに基づき形成された画像情報を時系列にしたがって重ねる技術が開示されている。
【先行技術文献】
【特許文献】
【０００６】
【特許文献１】特開２００４−０８０６３２号公報
【特許文献２】特開２００２−２９０９４９号公報
【特許文献３】特開２００８−１４８０７１号公報
【発明の概要】
【発明が解決しようとする課題】
【０００７】
動画コメントは、通常、コメントが付けられた時系列ではなく動画再生時刻の時系列にしたがって表示されるため、自分が付けたコメントの後にどのようなコメントが付けられたかを簡単には知ることはできない。この点はチャットや掲示板とは異なる点であり、動画コメントシステムでは、コメントを付けても、そのコメントに対する他人の反応を見ることができないということになる。このことが、コメントを付けるユーザの物足りなさにつながっている。
【０００８】
また、動画コメントシステムでは、動画画面がコメントで埋め尽くされることを防止するために、一定数以上のコメントは非表示になる。この際、従来の動画コメントシステムでは、非表示にされるコメントとして古いコメントが選ばれることが多く、コメントの面白さや重要度によって判定されるということはない。したがって、コメント数が多い動画では、面白いコメントが付けられてもすぐに見えなくなってしまうという問題がある。
【課題を解決するための手段】
【０００９】
請求項１、請求項２に記載の発明は、動画コメントシステムにおける、コメントへの返信機構に関する発明である。
【００１０】
請求項１に記載の発明は、
ユーザによって操作される端末装置と、
動画データを配信する動画配信装置と、
前記動画データに対するコメント情報の記憶手段を備えた動画コメント管理装置と、
前記コメント情報に対する返信情報の記憶手段を備えた動画コメント返信管理装置
によって構成される情報システムにおける
端末装置上で動作するプログラムであって、
動画配信装置から動画データを取得する手順と、
ユーザの端末上で動画を再生する手順と、
動画コメント管理装置からコメント情報を取得する手順と、
動画の再生に連動して、再生時刻ごとのコメント情報を表示する手順と、
ユーザの操作によって、返信の対象となるコメント情報を選択する手順と、
ユーザの操作によって、コメント情報への返信文を動画コメント返信管理装置に送信する手順
を実行させるためのプログラムである。
【００１１】
請求項２に記載の発明は、
請求項１記載のプログラムが動作する端末装置から、動画コメントに対する返信情報を受信する手段と、
動画コメントに対する返信情報を記憶する手段と、
指定されたユーザに対し、そのユーザが作成した動画コメントへの返信情報の一覧を取得する手段
を備えることを特徴とする動画コメント返信管理装置である。
【００１２】
コメントへの返信があったときに、それをユーザに迅速に伝えるとことで、チャットなどで見られるようなユーザの間での場の共有感を高めることができる。請求項３、請求項４に記載の発明は、この機構に関する発明である。
【００１３】
請求項３に記載の発明は、
請求項２記載の動画コメント返信管理装置であって、
ユーザが作成した動画コメントへの返信情報を受信したときに、そのユーザの端末装置に対し返信の受信があったことを通知する手段
を備えることを特徴とする動画コメント返信管理装置である。
【００１４】
請求項４に記載の発明は、
ユーザによって操作される端末装置上で動作するプログラムであって、
請求項３記載の動画コメント返信管理装置からの返信受信の通知を受信する手順と、
前記返信受信の通知を受信したときに、ユーザに対しそれを知らせる手順
を実現させるためのプログラムである。
【００１５】
請求項５、請求項６、及び請求項７に記載の発明は、動画コメントシステムにおける、コメントへの評価機構に関する発明である。
【００１６】
請求項５に記載の発明は、
ユーザによって操作される端末装置と、
動画データを配信する動画配信装置と、
前記動画データに対するコメント情報の記憶手段を備えた動画コメント管理装置と、
前記コメント情報に対する評価情報の記憶手段を備えた動画コメント評価管理装置
によって構成される情報システムにおける
端末装置上で動作するプログラムであって、
動画配信装置から動画データを取得する手順と、
ユーザの端末上で動画を再生する手順と、
動画コメント管理装置からコメント情報を取得する手順と、
動画の再生に連動して、再生時刻ごとのコメント情報を表示する手順と、
ユーザの操作によって、評価の対象となるコメント情報を選択する手順と、
ユーザの操作によって、コメント情報への評価を動画コメント評価管理装置に送信する手順
を実行させるためのプログラムである。
【００１７】
請求項６に記載の発明は、
ユーザによって操作される端末装置と、
動画データを配信する動画配信装置と、
前記動画データに対するコメント情報の記憶手段を備えた動画コメント管理装置と、
前記コメント情報に対する評価情報の記憶手段を備えた動画コメント評価管理装置
によって構成される情報システムにおける
端末装置上で動作するプログラムであって、
動画配信装置から動画データを取得する手順と、
ユーザの端末上で動画を再生する手順と、
動画コメント管理装置からコメント情報を取得する手順と、
動画の再生に連動して、再生時刻ごとのコメント情報を表示する手順と、
ユーザの操作によって、評価の対象となるコメント情報を選択し、それと同時に、コメント情報への評価の更新を動画コメント評価管理装置に送信する手順
を実行させるためのプログラムである。
【００１８】
請求項７に記載の発明は、
請求項５もしくは請求項６に記載のプログラムが動作する端末装置から、動画コメントに対する評価情報を受信する手段と、
動画コメントに対する評価情報を記憶する手段と、
指定されたユーザに対し、そのユーザが作成した動画コメントへの評価情報を取得する手段
を備えることを特徴とする動画コメント評価管理装置である。
【００１９】
請求項８、請求項９に記載の発明は、動画コメントシステムにおいて、表示するコメントを、コメントに付けられた返信数に応じて決定する機構に関する発明である。
【００２０】
請求項８に記載の発明は、
ユーザによって操作される端末装置と、
動画データを配信する動画配信装置と、
前記動画データに対するコメント情報の記憶手段を備えた動画コメント管理装置と、
前記コメント情報に対する返信情報の記憶手段を備えた動画コメント返信管理装置
によって構成される情報システムにおける
動画コメント管理装置であって、
動画コメント返信管理装置からコメントに対する返信の数を取得する手段と、
返信の数に基づいてユーザの端末装置に配信するコメント情報を決定する手段
を備えることを特徴とする動画コメント管理装置である。
【００２１】
請求項９に記載の発明は、
ユーザによって操作される端末装置と、
動画データを配信する動画配信装置と、
前記動画データに対するコメント情報の記憶手段を備えた動画コメント管理装置と、
前記コメント情報に対する返信情報の記憶手段を備えた動画コメント返信管理装置
によって構成される情報システムにおける
端末装置上で動作するプログラムであって、
動画配信装置から動画データを取得する手順と、
ユーザの端末上で動画を再生する手順と、
動画コメント管理装置からコメント情報を取得する手順と、
動画の再生に連動して、再生時刻ごとのコメント情報を表示する手順と、
動画コメント返信管理装置からコメントの返信情報の数を取得する手順と、
返信情報の数に基づいて表示するコメントを決定する手順
を実行させるためのプログラムである。
【００２２】
請求項１０、請求項１１に記載の発明は、動画コメントシステムにおいて、表示するコメントを、コメントに付けられた評価に応じて決定する機構に関する発明である。
【００２３】
請求項１０に記載の発明は、
ユーザによって操作される端末装置と、
動画データを配信する動画配信装置と、
前記動画データに対するコメント情報の記憶手段を備えた動画コメント管理装置と、
前記コメント情報に対する評価情報の記憶手段を備えた動画コメント評価管理装置
によって構成される情報システムにおける
動画コメント管理装置であって、
動画コメント評価管理装置からコメントに対する評価を取得する手段と、
評価に基づいてユーザ端末装置に配信するコメント情報を決定する手段
を備えることを特徴とする動画コメント管理装置である。
【００２４】
請求項１１に記載の発明は、
ユーザによって操作される端末装置と、
動画データを配信する動画配信装置と、
前記動画データに対するコメント情報の記憶手段を備えた動画コメント管理装置と、
前記コメント情報に対する評価情報の記憶手段を備えた動画コメント評価管理装置
によって構成される情報システムにおける
端末装置上で動作するプログラムであって、
動画配信装置から動画データを取得する手順と、
ユーザの端末上で動画を再生する手順と、
動画コメント管理装置からコメント情報を取得する手順と、
動画の再生に連動して、再生時刻ごとのコメント情報を表示する手順と、
動画コメント評価管理装置からコメントの評価を取得する手順と、
評価に基づいて表示するコメントを決定する手順
を実行させるためのプログラムである。
【発明の効果】
【００２５】
本発明による動画コメントシステムでは、自分が付けたコメントに対する他の人の反応を見ることができる。この仕組みは、動画コメントシステムに、チャットや掲示板などで見られるような、ユーザの間での場の共有感という楽しみを与える。
【００２６】
また、本発明による動画コメントシステムでは、返信数が多いコメントや評価の高いコメントが優先的に表示され続ける。この仕組みにより、コメント数が多い動画において面白い動画コメントがすぐに見えなくなるという従来の動画コメントシステムの問題が回避される。
【発明を実施するための最良の形態】
【００２７】
以下、図面を参照しながら本発明の実施の形態について説明する。
【００２８】
本発明の実施の形態として、返信機能・評価機能付きの「動画コメント管理サービス」について考える。
【００２９】
図１は、「動画コメント管理サービス」と、動画を閲覧する「ユーザ」、ユーザが操作する端末上で動作する「端末プログラム」、動画のデータを配信する「動画配信サービス」の関係を示す概略図である。
【００３０】
ユーザが動画の再生を行うと、図２に示す画面が表示される。
【００３１】
動画表示画面５１では、動画の再生が行われる。また、動画の再生に併せて、動画の動画再生時刻に付けられたコメントが表示される。コメント一覧画面５２には、動画に付けられているコメントの一覧が表示される。
【００３２】
ユーザは、コメント入力欄５３にコメントを入力し、送信ボタン５４を押すことで、動画にコメントを付けることができる。
また、ユーザは、コメント一覧画面５２でコメントを選択した後、コメント入力欄５３にコメントを入力し、送信ボタン５４を押すことで、選択したコメントに対して返信を付けることができる。
さらに、ユーザは、動画表示画面５１上のコメントをクリックすることで、コメントに対する「良い」という評価値をプラスすることができる。
【００３３】
ユーザが付けたコメントに対し、他のユーザから返信が付けられると、図３に示す返信通知ダイアログ６が表示され、ユーザへの通知が行われる。
【００３４】
動画コメント管理サービス１は、１台もしくは複数台のサーバにより実現される。図４は、動画コメント管理サービス１のソフトウェア構成を示すブロック図である。
【００３５】
コメント情報格納部１ａには、動画に付けられたコメントに関する情報が格納される。図５は、コメント情報格納部１ａの構造を示すテーブル構造図である。
【００３６】
返信情報格納部１ｂには、コメントに付けられた返信に関する情報が格納される。図６は、返信情報格納部１ｂの構造を示すテーブル構造図である。
【００３７】
ユーザが動画の再生を行うと、端末プログラム３１〜３ｎは、動画配信サービス２に対し、動画のIDを送信する。
動画配信サービス２は、端末プログラム３１〜３ｎに対し、動画IDに対応する動画の動画データを送信する。
さらに、端末プログラム３１〜３ｎは、動画コメント管理サービス１に対し、動画のIDを送信する。
動画コメント管理サービス１は、コメント取得要求受信部１１で、端末プログラム３１〜３ｎからの要求を受信する。次に、コメント情報格納部１ａから、動画に付けられたコメント情報の一覧を取得する。次に、コメント選定機能１６によって、端末に送信するコメント情報の一覧を決定する。コメント選定機能１６は、コメントに付けられた返信数や評価値に基づいて、送信するコメント情報の一覧を決定する。次に、動画コメント管理サービス１は、端末プログラム３１〜３ｎに対し、コメント情報の一覧を送信する。
端末プログラム３１〜３ｎは、コメント一覧画面５２において、取得したコメントの一覧を表示する。また、動画表示画面５１において、受信した動画データを再生し、併せて動画再生時刻に応じたコメントを表示する。なお、この際、端末プログラム３１〜３ｎは、コメントの返信数や評価値に基づいて、表示するコメントを決定しても良い。
図７は、上記の処理を示すフローチャート図である。
【００３８】
ユーザが動画に対しコメントを付けると、端末プログラム３１〜３ｎは、動画コメント管理サービス１に対し、動画ID、ユーザID、ユーザ認証情報、コメント文、動画再生時刻を送信する。
動画コメント管理サービス１は、コメント追加要求受信部１２で、端末プログラム３１〜３ｎからの要求を受信する。次に、ユーザ認証機能１８によって、ユーザの認証情報を確認する。ユーザ認証機能１８は、ユーザ情報格納部１ｃを参照し、ユーザ認証情報が正しいかどうかを確認する。次に、コメントID生成機能１７によって、他と重ならないユニークなコメントIDを生成する。次に、コメント情報（コメントID、コメント作成者ユーザID、コメント日時、コメント文、動画ID、動画再生時刻）を、コメント情報格納部１ａに格納する。この際、コメントの返信数と評価値としては、初期値の値０を格納する。
図８は、上記の処理を示すフローチャート図である。
【００３９】
ユーザがコメントに対して返信を付けると、端末プログラム３１〜３ｎは、動画コメント管理サービス１に対し、動画ID、ユーザID、ユーザ認証情報、対象コメントID、返信文を送信する。
動画コメント管理サービス１は、返信追加要求受信部１４で、端末プログラム３１〜３ｎからの要求を受信する。次に、ユーザ認証機能１８によって、ユーザの認証情報を確認する。次に、動画タイトル取得機能１９によって動画のタイトルを取得する。動画タイトル取得機能１９は、動画情報が保持されている動画配信サービス２への問い合わせを行い、動画のタイトルの取得を行う。なお、ここで、処理負荷を軽減させるために、一度取得した動画タイトルをキャッシュして再利用するという機構を実現しても良い。次に、コメント情報格納部１ａを調べ、コメント作成者のユーザIDを取得する。次に、返信情報（返信対象コメントID、返信作成者ユーザID、コメント作成者ユーザID、返信日時、返信文、動画ID、動画タイトル）を、返信情報格納部１ｂに格納する。次に、コメント情報格納部１ａに格納されているコメント情報の返信数を更新する。
図９は、上記の処理を示すフローチャート図である。
【００４０】
動画コメント管理サービス１は、ユーザが作成したコメントに返信が付けられると、それをユーザに通知する機能を持つ。通知の機構は、端末プログラム３１〜３ｎによる一定間隔の問い合わせによって実現される。
端末プログラム３１〜３ｎは、一定間隔で動画コメント配信サービスに対し、ユーザID、ユーザ認証情報を送信する。
動画コメント管理サービス１は、返信取得要求受信部１５で、端末プログラム３１〜３ｎからの要求を受信する。次に、ユーザ認証機能１８によって、ユーザの認証情報を確認する。次に、返信情報格納部１ｂを調べ、そのユーザに対する返信情報の一覧を取得する。次に、端末プログラム３１〜３ｎに対し、返信情報の一覧を送信する。次に、送信済みとなった返信情報を、返信情報格納部１ｂから削除する。
端末プログラム３１〜３ｎは、返信通知ダイアログ６を表示し、動画コメント管理サービス１から受信した返信情報の一覧を表示する。
図１０は、上記の処理を示すフローチャート図である。
【００４１】
ユーザがコメントに対する「良い」という評価を行うと、端末プログラム３１〜３ｎは、動画コメント管理サービス１に対し、動画ID、ユーザID、ユーザ認証情報、対象コメントIDを送信する。
動画コメント管理サービス１は、評価追加要求受信部１３で、端末プログラム３１〜３ｎからの要求を受信する。次に、ユーザ認証機能１８によって、ユーザの認証情報を確認する。次に、コメント情報格納部１ａに格納されているコメント情報の評価を更新する。
図１１は、上記の処理を示すフローチャート図である。
【図面の簡単な説明】
【００４２】
【図１】本実施形態に係るサービスとユーザの関係について示す概略図
【図２】動画再生と各種操作を行うための画面を例示する説明図
【図３】コメントに返信が付けられたときに表示される返信通知画面を例示する説明図
【図４】動画コメント管理サービスのソフトウェア構成を示すブロック図
【図５】コメント情報格納部の構造を示すテーブル構造図
【図６】返信情報格納部の構造を示すテーブル構造図
【図７】動画再生時の処理手順を示すフローチャート図
【図８】コメント追加時の処理手順を示すフローチャート図
【図９】返信追加時の処理手順を示すフローチャート図
【図１０】返信通知時の処理手順を示すフローチャート図
【図１１】評価追加時の処理手順を示すフローチャート図
【図１】
2012114525.tif 000003
【図２】
2012114525.tif 000004
【図３】
2012114525.tif 000005
【図４】
2012114525.tif 000006
【図５】
2012114525.tif 000007
【図６】
2012114525.tif 000008
【図７】
2012114525.tif 000009
【図８】
2012114525.tif 000010
【図９】
2012114525.tif 000011
【図１０】
2012114525.tif 000012
【図１１】
2012114525.tif 000013